(57)【特許請求の範囲】
【請求項１】
本体が含まれ、上記本体の両端には鍵導入部（３）の挿入孔（３３）に挿入する側の第一端（Ｅ１）と第一端（Ｅ１）に対向する側の第二端（Ｅ２）が含まれ、上記本体には第一端（Ｅ１）と第二端（Ｅ２）を連結する方向に延びる軸線（Ｘ）が含まれ、上記本体の第一端（Ｅ１）には、錠具（９１）の鍵穴（９２）に挿入して錠具（９１）の開閉作動を行うための歯部（８２）が形成され、第二端（Ｅ２）には、連桿（４）の連接部（４２）と互いに結合する係止部（８３）が形成され、さらに上記本体には歯部（８２）と係止部（８３）の間に位置する嵌入部（８１）が含まれ、嵌入部（８１）には、鍵（８）が特定の方向だけで鍵導入座（３）の挿入孔（３３）の中へ挿入できるように、挿入孔（３３）に形成された非正円形の一端の端縁の形状に合致した、軸線（Ｘ）と直交する非正円形の横断面が形成され、上記非正円形の横断面には、挿入孔（３３）に形成された非正円形の端縁形状に対応する少なくとも一個の平面（Ｌ）と少なくとも一個の円弧面（Ｘ）が含まれ、平面（Ｌ）は円弧面（Ｘ）と互いに隣接し、円弧面（Ｘ）は円形の径路に沿って延伸し、上記本体が第一端（Ｅ１）と嵌入部（８１）の間に位置する部位、および第二端（Ｅ２）と嵌入部（８１）の間に位置する部位は軸線（Ｘ）を中心とした径方向の範囲を有し、上記径方向の範囲は嵌入部（８１）の非正円形の横断面の範囲より小さくなるように形成されることを特徴とする鍵。
【請求項２】
係止部（８３）の一方の側面には、変位本体（２）の側溝（２６）の凸部と互いに嵌合する少なくとも一個の凹部（８４）が形成され、凹部（８４）は軸線（Ｘ）の切線方向に向いて延伸するとともに、係止部（８３）全体を通過して延伸するように形成されることを特徴とする請求項１に記載の鍵。
【請求項３】
凹部（８４）は軸線（Ｘ）と直交する深さを有し、上記深さは係止部（８３）の厚さの二分の一より大きくまたは同じであるように形成されることを特徴とする請求項２に記載の鍵。
【請求項４】
係止部（８３）の一方の第一側面には複数個の凹部（８４）が形成され、それぞれの隣接する凹部（８４）にはそれぞれ異なる距離を有するように形成されることを特徴とする請求項２に記載の鍵。
【請求項５】
係止部（８３）のもう一方の第二側面には凹部（８４）が形成され、上記第一側面と第二側面に形成された凹部（８４）は対称しないように設置されることを特徴とする請求項２に記載の鍵。
【発明の詳細な説明】
【技術分野】
【０００１】
本発明は、鍵穴隠れ式解錠装置のための鍵に関するもので、特に鍵を挿入する鍵穴が隠れても鍵を導入して解錠と施錠の作動を行うことができる鍵穴隠れ式解錠装置に用いられる鍵に係るものである。
【背景技術】
【０００２】
従来の錠具としては、例えば、錠具には鍵が挿入して合致するための錠芯が一個または複数個含まれ、そして上記錠芯が回動することによってラッチボルトを連動して解除または施錠の作動を行うように形成される。しかし、従来の錠具において鍵が挿入するための鍵穴は殆ど露出しており、上記露出した鍵穴は悪意を有する人には簡単に工具を利用して破壊して解錠し易く、甚だしくは鍵穴の内部を探測することによって鍵をコピーしたりすることができる。
【０００３】
従来の錠具として、例えば、中華民国公告第Ｍ２８７３６１号「隠れ式の鍵穴を有する安全鍵の構造」（特許文献１を参照）においては、錠具は錠具本体の外側に蓋片が設けられ、上記蓋片に上記錠具本体の鍵穴に対応する貫通孔が形成され、上記蓋片の内面において上記貫通孔の位置に対応する磁力板が設けられる。上記磁力板には上記貫通孔の孔径より小さな通孔が形成され、上記貫通孔と上記通孔が位置合せされた後、磁力を有する収容溝が形成されることにより、飾り蓋を吸い付いて上記鍵穴を隠すことができるようにとしたものがある。
【先行技術文献】
【特許文献】
【０００４】
【特許文献１】中華民国公告番号第Ｍ２８７３６１号公報
【発明の概要】
【発明が解決しようとする課題】
【０００５】
上記のような従来の錠具においては、一般的に下記のような問題点を有している。上述した従来の錠具は消極的な隠れ方法を採用するもので、悪意を有する人は上記磁力板より磁力の大きい磁石を利用することによって上記飾り蓋を簡単に取り外すことができ、或いは先の細い工具を利用して上記飾り蓋と収容溝の縁から挿入することによって上記飾り蓋を取り外すことができるため、上述した従来の錠具による隠れ式の鍵穴は全くその効果を果たすことができないという問題点があった。そのため、上記のような従来の錠具はさらに改良しなければならないものであった。
【０００６】
本発明はこのような問題点に鑑みて発明されたものであって、その主な目的とするところは、錠具の鍵穴を隠すことによって上記鍵穴に直接接触したり覗いたりすることができない鍵穴隠れ式解錠装置に用いられる鍵を提供しようとするものである。
【０００７】
本発明の第二の目的とするところは、鍵を導入することによって錠具に対して解錠または施錠の作動を行うことができる鍵穴隠れ式解錠装置に用いられる鍵を提供しようとするものである。
【０００８】
本発明の第三の目的とするところは、より良好な盗難防止効果を効果的に達成することができる鍵穴隠れ式解錠装置に用いられる鍵を提供しようとするものである。
【課題を解決するための手段】
【０００９】
上記目的を達成するために、本発明による鍵は、外枠、変位本体、鍵導入座および連桿を有する鍵穴隠れ式解錠装置に用いられる鍵である。この鍵穴隠れ式解錠装置の外枠は錠具の一方の側面に設置され、外枠には収容空間が形成される。収容空間は外枠を貫穿して二個の開口が形成され、錠具の鍵穴はその内の一個の開口の範囲中に対応するように形成される。変位本体は活動自在に外枠の収容空間に挿入され、変位本体には嵌入空間が形成される。嵌入空間の二個の相対する周壁にはそれぞれ通孔と貫通孔が設けられ、通孔と貫通孔は同じ中心線上に位置するように形成される。貫通孔は変位本体の変位の作動によって鍵穴と合致するように形成される。鍵導入座は活動自在に変位本体の嵌入空間に挿入され、鍵導入座には挿入孔が形成される。挿入孔に鍵が挿入され、挿入孔は鍵導入座の変位の作動によって鍵と鍵穴が合致するように形成される。連桿は変位本体に設置された通孔を貫穿するように形成され、連桿の一端は回動自在に形成され、そして連桿のもう一方の一端には連接部が設けられる。連接部は鍵を移動して回動するように嵌合して連動するように構成されている。
【００１０】
そして、本発明の鍵は、本体を含み、上記本体の両端には錠具の鍵穴に挿入する側の第一端と第一端に対向する側の第二端が含まれ、上記本体には第一端と第二端を連結する方向に延びる軸線が含まれる。上記本体の第一端には、錠具の鍵穴に挿入して錠具の開閉作動を行うための歯部が形成され、第二端には、連桿の連接部と互いに結合する係止部が形成され、さらに上記本体には歯部と係止部の間に位置する嵌入部が含まれる。嵌入部には、鍵が特定の方向だけで鍵導入座の挿入孔の中へ挿入できるように、挿入孔に形成された非正円形の一端の端縁の形状に合致した、軸線と直交する非正円形の横断面が形成され、上記非正円形の横断面には、挿入孔に形成された非正円形の端縁形状に対応する少なくとも一個の平面と少なくとも一個の円弧面が含まれる。平面は円弧面と互いに隣接し、円弧面は円形の径路に沿って延伸し、上記本体が第一端と嵌入部の間に位置する部位、および第二端と嵌入部の間に位置する部位は軸線を中心とした径方向の範囲を有し、上記径方向の範囲は嵌入部の非正円形の横断面の範囲より小さくなるように形成される。
【００１１】
本発明による鍵穴隠れ式解錠装置に用いられる鍵はまた、係止部の一方の側面に変位本体の側溝の凸部と互いに嵌合する少なくとも一個の凹部が形成され、凹部が軸線の切線方向に向いて延伸するとともに、係止部全体を通過して延伸するように形成することもでき、また、凹部が軸線と直交する深さを有し、上記深さが係止部の厚さの二分の一より大きくまたは同じであるように形成することもできる。さらに、係止部の一方の第一側面に複数個の凹部を形成し、それぞれの隣接する凹部にそれぞれ異なる距離を有するように形成することもでき、また、係止部のもう一方の第二側面に凹部を形成し、上記第一側面と第二側面に形成された凹部が対称しないように設置することもできる。
【発明の効果】
【００１２】
本発明の鍵穴隠れ式解錠装置用鍵によれば、外枠は錠具の一方の側面に設置され、上記外枠によって錠具の鍵穴を隠すことができるため、上記鍵穴を直接接触したりまたは覗いたりすることができないという利点がある。また、鍵導入座には挿入孔が形成され、上記挿入孔に鍵が挿入され、そして連桿の連接部は上記鍵を移動して回動するように嵌合して連動することができるため、上記鍵を導入して錠具に対して解錠または施錠の作動を行うことができるという利点がある。さらに、錠具の鍵穴を隠すことにより、上記鍵穴を直接接触したりまたは覗いたりすることができないため、よりよい盗難防止の効果を有効的に達成することができるという利点がある。加えて、鍵の係止部には凹部が設けられ、さらに変位本体の側溝には上記凹部に対応して合致するように凸部が形成されることにより、上記側溝には合致した形状を有する鍵しか貫穿することができないため、より多くの盗難防止の効果を達成することができるという利点がある。
【図面の簡単な説明】
【００１３】
【図１】本発明の実施例による鍵が用いられる鍵穴隠れ式解錠装置を分解した状態で示す斜視図である。
【図２】本発明の実施例による鍵が用いられる鍵穴隠れ式解錠装置の組立て状態の外観と作動図である。
【図３】本発明の実施例による鍵が用いられる鍵穴隠れ式解錠装置の箱体に運用される錠具の外観斜視図である。
【図４】本発明の実施例による鍵が用いられる鍵穴隠れ式解錠装置の組立て状態の断面図である。
【図５】本発明の実施例による鍵が用いられる鍵穴隠れ式解錠装置の作動図（一）である。
【図６】本発明の実施例による鍵が用いられる鍵穴隠れ式解錠装置の作動図（二）である。
【図７】本発明の実施例による鍵が用いられる鍵穴隠れ式解錠装置の作動図（三）である。
【図８】本発明の実施例による鍵が用いられる鍵穴隠れ式解錠装置の作動図（四）である。
【図９】図１および２に示す本発明の実施例による鍵の拡大斜視図である。
【発明を実施するための最良の形態】
【００１４】
本発明による実施の形態について、以下、図面を参照して説明する。
【００１５】
図１は本発明の実施例による鍵が用いられる鍵穴隠れ式解錠装置の分解状態を示す斜視図である。図１を参照すると、鍵穴隠れ式解錠装置には外枠１、変位本体２、鍵導入座３および連桿４が含まれる。
【００１６】
図２は本発明の実施例による鍵が用いられる鍵穴隠れ式解錠装置の組立て状態の外観と作動図で、図３は本発明の実施例による鍵が用いられる鍵穴隠れ式解錠装置の箱体に適用される錠具の外観斜視図である。図１、２、３を参照すると、外枠１は鍵穴９２を有する錠具９１と結合したり、または所定の固定位置に固定することができる。錠具９１は箱体９に設置される。外枠１の内部には収容空間１１が設けられ、収容空間１１は第一軸Ｘに沿って第一開口１２と第二開口１２が形成される。鍵穴９２は第一開口１２の範囲内に設置される。収容空間１１の内の一方の周壁には滑動溝１３が設けられ、滑動溝１３は第二開口１２から第一軸Ｘに沿って第一開口１２を貫穿するように形成される。収容空間１１の内のもう一方の周壁には溝路１４が設けられる。
【００１７】
変位本体２は活動自在に外枠１の収容空間１１の中に挿入され、変位本体２は第一軸Ｘに沿って収容部と延伸部との間に移動するように形成される。上記収容部は外枠１の内を指し、そして上記延伸部は少なくとも局部的に外枠１の外に位置することを指す。特に、変位本体２には第一軸Ｘに沿って第一側４６と第二側４８が設置され、さらに変位本体２には第一側４６と第二側４８との間に延伸するように第三側４７と第四側４９が含まれ、第三側４７と第四側４９は第一軸Ｘと直交する第二軸Ｙに沿って位置するように形成される。
【００１８】
また、変位本体２には嵌入空間２２が設けられ、嵌入空間２２は第一軸Ｘに沿って第一側４６と第二側４８との間に位置するように形成される。嵌入空間２２は第一軸Ｘに沿った第一側壁５４と第二側壁５６によって制限される。第二側壁５６は第一軸Ｘに沿って第一側壁５４と変位本体２の第一側４６の間に位置するように形成される。貫通孔２４は第一側壁５４から変位本体２の第二側４８に向って延伸するように形成され、貫通孔２４は鍵穴９２に対応するように形成される。通孔２３は変位本体２の第一側４６から第二側壁５６を貫穿するように形成され、通孔２３は貫通孔２４に対応するように形成される。嵌入空間２２には第四開口５８が設置され、第四開口５８は変位本体２の第三側４７に位置される。
【００１９】
また、変位本体２には側溝２６が設けられ、側溝２６は第三側４７から通孔２３の内周壁面を貫穿するように形成される。側溝２６は他に第二側壁５６から第一側４６に向って延伸するが、距離を有するように形成される。変位本体２の通孔２３には通孔２３の直径より大きい収容部２５が形成され、収容部２５は嵌入空間２２と側溝２６とは貫通するように形成される。側溝２６は第三側４７から収容部２５の内周壁面を貫穿するように形成される。その他に、第一側壁５４には溝２９が設置され、溝２９には幅広溝部２０が形成される。止め片７は幅広溝部２０に第二軸Ｙに沿って活動自在に設置され、幅広溝部２０は上下の両端においてそれぞれ案内体７１が設けられる。変位本体２の上端には位置決め部２１が設けられ、位置決め部２１が外枠１の滑動溝１３の一方の底面に接触した時、変位本体２が第一軸Ｘに沿った移動を停止するように形成される。位置決め部２１は活動自在に外枠１の滑動溝１３の内に設置される。位置決め部２１は突出粒、突出体または突出片等、滑動溝１３と嵌合して位置決めすることができる設計からなる。
【００２０】
また、滑動溝１３を収容空間１１の内に設置しなければならないとの制限がなく、そして滑動溝１３と位置決め部２１の位置を互いに換えることもでき、それによって同様に嵌合による位置決め効果を獲得することができる。変位本体２には他に二個の位置決め溝２８が設けられる。二個の位置決め溝２８は第一側４６に沿って延伸するように形成されるが、第二側壁５６とは距離を有するように形成される。さらに第二軸Ｙの方向に沿った位置決め溝２８の溝内の幅は第一開口１２の幅より大きくなるように形成される。
【００２１】
鍵導入座３は第二軸Ｙに沿って変位本体２の嵌入空間２２（第一位置）と局部的に変位本体２に露出する位置（第二位置）の間において滑動するように形成される。鍵導入座３には挿入孔３３が設けられる。挿入孔３３は第一面３８から第二面３９を経由して鍵導入座３を貫穿するように形成される。さらに挿入孔３３は外枠１の収容空間１１が貫穿した方向と平行になるように形成され、挿入孔３３が第一面３８に位置する一端の端縁には非正円形に形成される。第一面３８には二個の係止体３２が設置される。第二面３９には押圧体３４が設置される。鍵導入座３には他に握持部３１が含まれ、握持部３１は第三面３６に設置され、そして第一面３８から第二面３９まで延伸するように形成される。
【００２２】
握持部３１の一端には鍵導入座３の側面から突出するように突出部３５が形成され、突出部３５は第一軸Ｘに沿って延伸するように形成される。鍵導入座３が上記第一位置に位置する時、止め片７は鍵導入座３の挿入孔３３のその一端の開口を封止することはない。そのため、鍵導入座３が上記第一位置から上記第二位置まで外へ引っ張られる時、押圧体３４は同時に止め片７を連動して外へ変位し、挿入孔３３の開口を封止するように形成される。握持部３１の突出部３５が止め片７を最初の位置に戻すように押圧すると、鍵導入座３は上記第二位置から上記第一位置まで変位し、そして挿入孔３３のもう一方の一端から露出するように形成される。止め片７が押圧体３４または握持部３１の突出部３５に押圧されると、止め片７の案内体７１は滑り込んで、そして溝２９の幅広溝部２０によって導引される。
【００２３】
連桿４は変位本体２の通孔２３を貫穿するように形成され、連桿４には第一軸Ｘに沿って第一端と第二端が形成される。連桿４は長い桿体からなり、連桿４の一端はピンまたはねじなどの固定部材４４を利用してボタン４１と組み立てることができ、そして連桿４のもう一方の一端には連接部４２が形成される。連接部４２は鍵導入座３の挿入孔３３に対応するように非正円の形態に形成され、連接部４２は鍵８の係止部８３と互いに結合することができる。本実施例において、連接部４２には係止溝４３が形成され、連接部４２の最大の半径方向の距離は連桿４の外径より大きくなければならず、そして変位片体２の貫通孔２４の孔径は連接部４２の最大の半径方向の距離より小さくなってはならない。その他に、本実施例において収容部２５は選択的に円形の通孔からなることにより、初歩的に位置決めの効果を達成することができるため、係止溝４３と係止部８３との結合はさらに簡単になる。
【００２４】
鍵穴隠れ式解錠装置には支持座５が含まれ、支持座５には孔５１が形成され、支持座５の二個の対応する側面の端縁にはそれぞれ一方に向って延伸するように位置決め部５２が形成される。位置決め部５２は変位本体２の位置決め溝２８に対応して互いに嵌設して位置決めするのに用いられることにより、支持座５は変位本体２に相対して脱落することがないように変位することができる。
【００２５】
本発明の鍵が用いられる鍵穴隠れ式解錠装置には蓋板６が含まれ、蓋板６は変位本体２の第四側４９に固定される。蓋板６は嵌入空間２２の側辺と位置決め溝２８を封止するのに用いられる。蓋板６は螺設、嵌設または粘着などのいかなる物理的な結合方式を利用して変位本体２と一体になるように結合することができるため、封止の作用を達成することができる。ただし、前述した蓋板６の設計では変位本体２と鍵導入座３および支持座５との合理的な組合せ形態の内の一種であり、本発明の特許の特徴と具体的な実施例はこれだけとは限らない。
【００２６】
鍵８の一端には歯部８２が形成される。歯部８２は錠具９１の鍵穴９２の中に挿入することにより、歯部８２は錠具９１に対して開閉の作動を行うことができる。歯部８２には深さの異なる歯が形成されることにより、錠具９１の内のそれぞれのロックピンと対応するように合致することができる。この時、ボタン４１を回動させると、鍵８が同時に回動するのを連動させることができるため、錠具９１のデッドボルト９３を駆動して解錠の状態が形成される。
【００２７】
本発明の鍵が用いられる鍵穴隠れ式解錠装置において、鍵８には少なくとも一個の嵌入部８１が形成され、嵌入部８１の切断面は鍵導入座３の挿入孔３１に形成された非正円形の一端の端縁の形状と合致するように形成されることにより、鍵８は特定の方向だけで挿入孔３３の中に挿入することができるように制限される。また、嵌入部８１の一端には歯部８２が形成され、そして嵌入部８１のもう一方の一端には係止部８３が形成される。歯部８２を錠具９１の鍵穴９２に挿入して錠芯と合致させることにより、係止部８３は連桿４の連接部４２と互いに嵌合することができるため、連桿４は鍵８を連動して回動することができる。係止部８３の少なくとも一方の側面には複数個の凹部８４が設けられ、凹部８４は、好ましくは、凹んだ溝の形態からなり、凹部８４の深さは好ましくは係止部８３の厚さの二分の一より大きくまたは同じであるように形成され、そしてそれぞれの隣接する凹部８４の間にはそれぞれ異なる距離を有するように形成される。仮に係止部８３の両方の側面には全て凹部８４が形成される時、係止部８３の両方の側面の凹部８４は対称しないように形成されるのが好ましい。
【００２８】
再び図１を参照すると、上述した鍵導入座３と支持座５が変位本体２に対して全て相対的な変位の作動を有し、さらにそれぞれの係止体３２と滑動溝２７による係止作用および位置決め部５２と位置決め溝２８による係止作用を利用することにより、鍵導入座３と支持座５が脱落するのを防止することができる。鍵導入座３および支持座５が変位本体２とスムースに組み合わせるべく、好ましくは、変位本体２のその内の一方の側面において蓋板６を設け、滑動溝２７と位置決め溝２８を貫通するように形成させることにより、鍵導入座３の係止体３２と支持座５の位置決め部５２をそれぞれ挿入させることができる。
【００２９】
再び図１、２を参照すると、連桿４は変位本体２の貫通孔２４を貫穿し、そして順序に従って挿入孔３３、収容部２５、通孔２３と支持座５の孔５１を貫穿し、連接部４２を収容部２５の中に位置させ、それから再び固定部材４４を利用してボタン４１を連桿４が孔５１から突き出ている端部に固定させる。
【００３０】
図４は本発明の鍵が用いられる鍵穴隠れ式解錠装置の組立て状態の断面図である。図３、４を参照すると、本発明の鍵が用いられる鍵穴隠れ式解錠装置を実施する時、箱体９の内部には錠具９１が設置され、錠具９１には鍵穴９２とデッドボルト９３が形成される。鍵８を利用して鍵穴９２に挿入する時、鍵８の歯部８２に形成される深さの異なる歯または溝によって錠具９１の内の各ロックピンを押圧することにより、鍵８を回動してデッドボルト９３９３が作動するように駆動することができるため、解錠または施錠の作動を行うことができる。
【００３１】
実際に使用するとき、この鍵穴隠れ式解錠装置は、錠具９１の側辺に取り付けて箱体９と結合し、そして変位本体２の貫通孔２４を鍵穴９２に対応させ、さらに解錠装置にボタン４１が設置される側を箱体９の外側に露出させることにより、上記解錠装置を利用して錠具９１に対して解錠または施錠の作動を行うことができる。そのため、錠具９１の鍵穴９２を箱体９の内部に隠すことができ、そして箱体９の外側から鍵穴９２を直接目視したり覗いたりすることができない。また、このような鍵穴隠れ式解錠装置は、図に示されている箱体９の錠具９１だけではなく、その他にドアロック、Ｕ字型ロックおよびハンドルロックなどの各種の錠具に適用することもできる。さらに、上記解錠装置はいかなる物理的な結合方式を利用して錠具９１の側辺に設置することができる。例えば、外枠１において螺設するために固定部を増設したり、或いは固定座を増設して上記解錠装置を固定したりすることができる。
【００３２】
再び図４を参照すると、解錠の作動を実施する時、先ず連桿４のボタン４１を利用して連桿４全体を第一軸Ｘに沿って外へ引っ張ると、連桿４は支持座５が外へ移動して連桿４の連接部４２が変位本体２の収容部２５の内部に移動した時まで連動し続け、また連桿４は同時に変位本体２を連動して外へ移動することにより、変位本体２は段々と外枠１の収容空間１１の中から引っ張り出される。鍵導入座３の握持部３１は突出または凹みの形態に設計され、握持部３１が突出の形態に設計されると、外枠１の収容空間１１においては対応するように握持部３１が挿入するための溝路１４を設置しなければならず、それによって本発明の解錠装置の組立を完成することができる。
【００３３】
図１、２を参照すると、鍵穴隠れ式解錠装置を組み立てる時、鍵導入座３を嵌入空間２２の中に挿入することにより、鍵導入座３の係止体３２を嵌入空間２２の中の滑動溝２７と互いに嵌設させることができる。支持座５の位置決め部５２を変位本体２の位置決め溝２８の中に対応するように挿入することにより、支持座５は変位本体２に対応して移動することができ、さらに位置決め部５２を利用して位置決め溝２８と互いに嵌設させることによって支持座５が脱落するのを避けることができる。
【００３４】
図５は本発明による鍵が用いられる鍵穴隠れ式解錠装置の作動図（一）である。図２、５を参照すると、変位本体２の一方の側面に位置される鍵導入座３の握持部３１が露出される時、再び握持部３１から鍵導入部３を外へ引っ張ると、鍵導入部３は握持部３１を引っ張ることによって上記第一位置は変位本体２の第四開口５８を経由して上記第二位置に向って移動することにより、鍵導入座３の挿入孔３３を出現させることができる。鍵８を特定の方向に従って鍵導入座３の挿入孔３３の中に挿入し、そして鍵８の係止部８３を鍵導入座３の表面に突出させ、さらに係止部８３を変位本体２の側溝２６に対応するように形成させる。側溝２６には係止部８３の凹部８４に対応して互いに嵌合するように凸部が形成される。図２に示すように、合致した形状のみを有した凹部８４を備える鍵８は側溝２６に挿入することができるため、より多くの盗難防止の効果を達成することができる。また、凹部８４を係止部８３に設置しなければならないとの限制はなく、凹部８４と上記凸部の位置を取り換えることにより、同様に特定な鍵８のみで側溝２６に挿入するのを制限することができるため、よりよい盗難防止の効果を達成することができる。
【００３５】
図１、５を参照すると、鍵８を挿入孔３３の中において予定される位置に挿入することができるようにするべく、さらに鍵８が挿入孔３３のもう一方の一端から脱出するのを避けるべく、鍵導入座３が外へ引っ張られる時、押圧体３４は同時に止め片７を連動して外へ変位し、そして挿入孔３３の一端の開口を封止することにより、鍵８が予定される位置に制限されるとの効果を達成することができる。
【００３６】
図６は本発明による鍵が用いられる鍵穴隠れ式解錠装置の作動図（二）である。図６を参照すると、鍵導入座３を変位本体２の嵌入空間２２の上記第一位置に押し戻されると、鍵８の係止部８３は変位本体２の収容部２５に設置され、鍵８は同時に変位本体２の中の予定される位置に押し込まれ、そして側溝２６の導引によって鍵８の係止部８３と連桿４の係止溝４３とは互いに嵌合するように形成される。鍵８の歯部８２は変位本体２の嵌入空間２２に設置される。上述したように、鍵導入座３が上記第一位置に位置する時、鍵導入座３の一方の端面から突出している突出部３５を有する握持部３１は止め片７が復位するのを同時に押し上げることができ、さらに止め片７は鍵導入座３の挿入孔３３のその一端の開口を封止しないように形成される。
【００３７】
図７は本発明による鍵が用いられる鍵穴隠れ式解錠装置の作動図（三）である。図７を参照すると、連桿４または支持座５を外枠１の方向へ押し込むと、支持座５によって変位本体２が外枠１の収容空間１１の内において移動するのを押し動くことができ、さらに鍵８の歯部８２を錠具９１の鍵穴９２の定位置まで挿入する。このように、歯部８２における深さの異なる歯は錠具９１の内のそれぞれのロックピンと対応するように合致することができる。この時、ボタン４１を回動すると、鍵８が同時に回動するのを連動することができるため、錠具９１のデッドボルト９３を駆動して解錠の状態が形成される。
【００３８】
図８は本発明の鍵が用いられる鍵穴隠れ式解錠装置の作動図（四）である。図８を参照すると、解錠の作動を完成して鍵８を取り出さなければならない時、上述した順序に従って、先ず支持座５と変位本体２を引っ張り出し、それから再び鍵導入座３を引っ張り出して鍵８を取り出す。
【００３９】
また、解錠装置に対して施錠の作動を行う時、上述した作動を繰り返して行うことによって解錠の作動を行い、さらに鍵８の歯部８２が錠具９１の鍵穴９２に挿入される後、ボタン４１を利用して連桿４が鍵８を反対方向に回動するのを連動させることにより、デッドボルト９３を駆動して施錠の状態が形成される。
【００４０】
図９を参照して、本発明の実施例による鍵についてより詳細に説明する。本発明の鍵８には本体が含まれ、上記本体には第一端Ｅ１と第二端Ｅ２が含まれ、上記本体には第一端Ｅ１と第二端Ｅ２を延伸して貫穿するように軸線Ｘが含まれる。また、鍵８には第一端Ｅ１に隣接して錠具９１の鍵穴９２に挿入することができる歯部８２が含まれ、さらに第二端Ｅ２に隣接する係止部８３が含まれる。歯部８２は錠具９１の内の各ロックピンを押圧するのに用いられことにより、鍵８を回動して錠具９１のデッドボルト９３が作動するように駆動することができるため、解錠または施錠の作動を行うことができる。
【００４１】
鍵８には他に歯部８２と係止部８３の間に位置する嵌入部８１が含まれる。嵌入部８１の横断面は軸線Ｘと直交し、かつ鍵導入部３の挿入孔３３の横断面の非正円形に対応するように形成される。嵌入部８１の非正円形の横断面には少なくとも一個の平面Ｌと少なくとも一個の円弧面Ａが含まれ、平面Ｌと円弧面Ａは互いに隣接するように形成される。円弧面Ａは円形の径路に沿って延伸することにより、鍵８は鍵導入部３の内において回動することができるため、解錠または施錠の目的に達することができる。
【００４２】
鍵８の本体が第一端Ｅ１と嵌入部８１の間に位置する部位、および第二端Ｅ２と嵌入部８１の間に位置する部位は、軸線Ｘを中心とした径方向の範囲を有し、上記径方向の範囲は嵌入部８１の横断面の範囲より小さくまたは同じであるように形成されるため、鍵８を挿入孔３３の内に挿入することができる。係止部８３の一方の第一側面には少なくとも一個の凹部８４が形成され、凹部８４には軸線Ｘの切線方向に向いて延伸するように深さが形成されるとともに、係止部８３全体を通過して延伸するように形成される。凹部８４の深さは軸線Ｘと直交し、かつ上記深さは係止部８３の厚さの二分の一より大きくまたは同じであるように形成される。
【００４３】
係止部８３には他に上記第一側面に相対する第二側面が含まれ、上記第二側面には軸線Ｘの切線方向に向いて延伸するもう一個の凹部８４が含まれ、上記第二側面の凹部８４と上記第一側面の凹部８４は対称しないように設置される。係止部８３の第一側面と第二側面には好ましくは全て複数個の凹部８４が形成され、かつそれぞれの隣接する凹部８４の間にはそれぞれ軸線Ｘに平行した異なる距離を有するように形成される。また、本発明の技術を熟知したものには係止部８３の第一側面と第二側面において全て一個または複数個の凹部８４を設置することを理解することができる。
【００４４】
その他に、側溝２６には対応する凸部が形成されるため、鍵８の係止部８３は側槽２6によってＹ軸に沿って通孔２３の収容部２５の中に挿入することができる。また、凹部８４と上記凸部の位置を取り替えることで、同様に特定の鍵８だけを利用して側槽２６を貫穿して施錠を行うことを制限することにより、よりよい盗難防止の効果を達成することができる。
【産業上の利用可能性】
【００４５】
上述の如く、本発明によれば、鍵を導入して錠具に対して解錠または施錠の作動を行うことができるとともに、錠具の鍵穴を隠すこともできるため、鍵穴を直接接触したり覗いたりすることができず、よりよい盗難防止の効果を達成することができる。
【００４６】
本発明は、その精神および必須の特徴事項から逸脱することなく他のやり方で実施することができる。従って、本明細書に記載した好ましい実施形態は例示的なものであり、限定的なものではない。
【符号の説明】
【００４７】
１    外枠
１１    収容空間
１２    第一開口
１２    第二開口
１３    滑動溝
１４    溝路
２    変位本体
２０    幅広溝部
２１    位置決め部
２２    嵌入空間
２３    通孔
２４    貫通孔
２５    収容部
２６    側溝
２７    滑動溝
２８    位置決め溝
２９    溝
３    鍵導入部
３１    握持部
３２    係止体
３３    挿入孔
３４    押圧体
３５    突出部
３６    第三面
３８    第一面
３９    第二面
４    連桿
４１    ボタン
４２    連接部
４３    係止溝
４４    固定部材
４６    第一側
４７    第三側
４８    第二側
４９    第四側
５    支持座
５１    孔
５２    位置決め部
５４    第一側壁
５６    第二側壁
５８    第四開口
６    蓋板
７    止め片
７１    案内体
８    鍵
８１    嵌入部
８２    歯部
８３    係止部
８４    凹部
９    箱体
９１    錠具
９２    鍵穴
９３    デッドボルト
Ａ 円弧面
Ｅ１ 第一端
Ｅ２ 第二端
Ｌ 平面
Ｘ    第一軸
Ｙ    第二軸
【図１】
0005358027.tif 000002
【図２】
0005358027.tif 000003
【図３】
0005358027.tif 000004
【図４】
0005358027.tif 000005
【図５】
0005358027.tif 000006
【図６】
0005358027.tif 000007
【図７】
0005358027.tif 000008
【図８】
0005358027.tif 000009
【図９】
0005358027.tif 000010